(57)【要約】【課題】  衝撃等によりホルダーに挿通されている鉛芯が損傷するのを防ぐ。【解決手段】  保持筒１０と、保持筒１０の前端開口部から突出するホルダー２０に加わる径方向の力成分により保持筒１０に相対しホルダー２０を前進させる運動方向変換機構Ｍ２と、挟持した鉛芯ｘを繰出してホルダー２０に後側から挿通する鉛芯繰出し機構Ｍ１とを具備し、保持筒１０の外周部に弾性材料からなる緩衝部材１４が設けられている。【選択図】  図２
2020110928.tif 000002
【特許請求の範囲】
【請求項１】
保持筒と、前記保持筒の前端開口部から突出して鉛芯を挿通するホルダーと、前記ホルダーに加わる径方向の力成分により前記保持筒に相対し前記ホルダーを前進させる運動方向変換機構と、挟持した鉛芯を繰出して前記ホルダーに後側から挿通する鉛芯繰出し機構とを具備し、前記保持筒の外周部に弾性材料からなる緩衝部材が設けられていることを特徴とするシャープペンシルユニット。
【請求項２】
前記保持筒は、複数の筒状部材を前後に接続して構成され、
前記緩衝部材は、前後に隣接する前記筒状部材の間に設けられ、その外周部を前記前後の筒状部材よりも径方向外側へ突出させていることを特徴とする請求項１記載のシャープペンシルユニット。
【請求項３】
前記保持筒は、前後方向へ延設された円筒状の小径部と、前記小径部と同芯状に並ぶ円筒状の大径部とを有し、
前記緩衝部材は、その外周部を前記大径部よりも径方向の外側へ突出させていることを特徴とする請求項１又は２記載のシャープペンシルユニット。
【請求項４】
請求項１〜３何れか１項記載のシャープペンシルユニットを具備した出没式筆記具。
【発明の詳細な説明】
【技術分野】
【０００１】
本発明は、シャープペンシル用リフィールやシャープペンシル等を構成するシャープペンシルユニット、及び該シャープペンシルユニットを具備した出没式筆記具に関するものである。
【背景技術】
【０００２】
従来、この種の発明に関連し、例えば特許文献１には、保持筒と、保持筒の前側開口部に挿通されてこの保持筒の前端から前方へ突出するとともにこの保持筒に対し進退可能に支持されたホルダーと、ホルダーに挿通される鉛芯を前方へ繰り出す鉛芯繰出し機構と、鉛芯からホルダーに加わる径方向の力によりこのホルダーを保持筒及び鉛芯に相対し前進させる運動方向変換機構とを備えたシャープペンシルユニットが記載されている。そして、このシャープペンシルユニットを軸筒に収容すれば、容易に出没式筆記具を構成することができる。
この出没式筆記具によれば、所定の操作によりシャープペンシルユニットを前進させて、このシャープペンシルユニットの前端のホルダーを軸筒前端の開口から突出させた状態において、ホルダーから突出した鉛芯に径方向の力が加わると、ホルダーが保持筒及び鉛芯に相対して前進するため、このホルダーにより鉛芯を覆い保護することができる。
また、所定の操作により後端側の芯タンク部を保持筒に相対し進退させれば、鉛芯繰出し機構を作動させて鉛芯を繰出すことが可能である。
【先行技術文献】
【特許文献】
【０００３】
【特許文献１】特開２０１７−１５９５７９号公報
【発明の概要】
【発明が解決しようとする課題】
【０００４】
しかしながら、前記従来のシャープペンシルユニットを具備して、例えば多機能の出没式筆記具を構成した場合、シャープペンシルユニットの外周部が、軸筒内周面や隣接するボールペンリフィール等に当接して、各種不具合の原因になる可能性がある。
特に、前記運動方向変換機構を具備した前記シャープペンシルユニットでは、ホルダーが進退及び傾斜可能に支持されているため、前記衝撃により、ホルダーに挿通されている鉛芯が損傷してしまうおそれがある。
【課題を解決するための手段】
【０００５】
このような課題に鑑みて、本発明は、以下の構成を具備するものである。
保持筒と、前記保持筒の前端開口部から突出して鉛芯を挿通するホルダーと、前記ホルダーに加わる径方向の力成分により前記保持筒に相対し前記ホルダーを前進させる運動方向変換機構と、挟持した鉛芯を繰出して前記ホルダーに後側から挿通する鉛芯繰出し機構とを具備し、前記保持筒の外周部に弾性材料からなる緩衝部材が設けられていることを特徴とするシャープペンシルユニット。
【発明の効果】
【０００６】
本発明は、以上説明したように構成されているので、周囲の部材に当接する際の衝撃により、ホルダーに挿通されている鉛芯が損傷するのを防ぐことができる。
【図面の簡単な説明】
【０００７】
【図１】本発明に係るシャープペンシルユニットの一例を示す断面図である。
【図２】同シャープペンシルユニットについて要部を拡大して示す半断面図である。
【図３】同シャープペンシルユニットを具備した筆記具の一例を示す内部構造図である。
【図４】本発明に係るシャープペンシルユニットの他例を示す要部拡大半断面図である。
【図５】本発明に係るシャープペンシルユニットの他例を示す要部拡大半断面図である。
【発明を実施するための形態】
【０００８】
本実施の形態では、以下の特徴を開示している。
第１の特徴は、保持筒と、前記保持筒の前端開口部から突出して鉛芯を挿通するホルダーと、前記ホルダーに加わる径方向の力成分により前記保持筒に相対し前記ホルダーを前進させる運動方向変換機構と、挟持した鉛芯を繰出して前記ホルダーに後側から挿通する鉛芯繰出し機構とを具備し、前記保持筒の外周部に弾性材料からなる緩衝部材が設けられている（図１〜図５参照）。
【０００９】
第２の特徴として、緩衝部材の外れや位置ずれを防ぐために、前記保持筒は、複数の筒状部材を前後に接続して構成され、前記緩衝部材は、前後に隣接する前記筒状部材の間に設けられ、その外周部を前記前後の筒状部材よりも径方向外側へ突出させている（図２及び図５参照）。
【００１０】
第３の特徴として、緩衝部材の弾性を効果的に得るために、前記保持筒は、前後方向へ延設された円筒状の小径部と、前記小径部と同芯状に並ぶ円筒状の大径部とを有し、前記緩衝部材は、その外周部を前記大径部よりも径方向の外側へ突出させている（図２、図４及び図５参照）。
【００１１】
第４の特徴は、上記シャープペンシルユニットを具備して出没式筆記具を構成した（図３参照）。
【００１２】
＜第１の実施態様＞
次に、上記特徴を有する具体的な実施態様について、図面に基づいて詳細に説明する。本明細書中、軸方向とは、保持筒１０の中心線の延びる方向を意味する。また、「前」とは、前記軸方向の一方側であって鉛芯が繰り出される方向を意味する。また、「後」とは、前記一方側に対する逆方向側を意味する。
【００１３】
図１に示すシャープペンシルユニット１は、保持筒１０と、保持筒１０の前端開口部から突出して鉛芯ｘを挿通するホルダー２０と、ホルダー２０に加わる径方向の力成分により保持筒１０に相対しホルダー２０を前進させる運動方向変換機構Ｍ２と、挟持した鉛芯ｘを繰出してホルダー２０に後側から挿通する鉛芯繰出し機構Ｍ１と、保持筒１０の後端側に接続された芯タンク部６０とを具備し、保持筒１０の外周部における緩衝部材１４によって周囲の部材に当接した際の衝撃を緩和するようにしている。
【００１４】
保持筒１０は、運動方向変換機構Ｍ２を構成する第１の筒部１１と、この第１の筒部１１の後端側に接続されて鉛芯繰出し機構Ｍ１を構成する第２の筒部１２及び第３の筒部１３とを具備し、一体的に構成される。
【００１５】
第１の筒部１１は、金属等の硬質材料によって略円筒状に形成され、その前部側に、ホルダー２０及びホルダー付勢部材２３を内在している。
【００１６】
第２の筒部１２は、金属等の硬質材料によって略段付き円筒状に形成される。
この第２の筒部１２は、第１の筒部１１内周面の後端側に圧入又は螺合される円筒状の前側接続部１２ａと、この前側接続部１２ａの後側にて環状の段部１２ｂを境に拡径した円筒状の中間部１２ｃと、この中間部１２ｃの後側で後方へ向かって徐々に拡径した環状傾斜面部１２ｄと、この環状傾斜面部１２ｄの後側にて環状の段部１２ｅを境に縮径した後側接続部１２ｆとを有する。
【００１７】
第３の筒部１３は、金属等の硬質材料によって長尺な略円筒状に形成される。
この第３の筒部１３は、第２の筒部１２の段部１２ｅから後方へ離れて、後側接続部１２ｆの外周部に環状に装着され固定されている。この固定手段は、例えば、螺合や嵌合等とすればよい。
この構成によれば、第２の筒部１２の段部１２ｅの後側に、全周にわたる環状凹部１２ｇが形成される。
【００１８】
環状凹部１２ｇは、第２の筒部１２の段部１２ｅと、第３の筒部１３の前端部と、後側接続部１２ｆ前端側の縮径された外周面とによって全周にわたる凹溝状に構成される。そして、この環状凹部１２ｇには、緩衝部材１４が環状に嵌め合わせられる。
この環状凹部１２ｇの前後位置は、シャープペンシルユニット１が多機能出没式筆記具Ａ（図３参照）に組み込まれて進退する際に、緩衝部材１４が、他のリフィールや軸筒内周面との当接箇所に位置するように、適宜に設定される。
【００１９】
緩衝部材１４は、ゴムやエラストマー樹脂等の弾性材料から形成された無端輪状の部材であり、例えば、ゴム製のＯリングが用いられる。
緩衝部材１４は、保持筒１０の最大径部分（図示例によれば第３の筒部１３の外径部）よりも径方向の外側へ突出するように、その外径が設定されている。
この緩衝部材１４は、環状凹部１２ｇに嵌め合わせられるとともに、前側の第２の筒部１２と、後側の第３の筒部１３との間に挟まれるようにして固定される。
【００２０】
ホルダー２０は、カム斜面２１ａを有するホルダー本体部２１と、ホルダー本体部２１の後側に接続された受け部２２とから一体的に構成され、保持筒１０内で進退可能に支持される。なお、他例としては、ホルダー本体部２１と受け部２２を一体の部材とすることが可能である。
【００２１】
運動方向変換機構Ｍ２は、第１の筒部１１の前端開口部、ホルダー２０のカム斜面２１ａ、ホルダー２０を後方へ付勢するホルダー付勢部材２３等によって構成される。この運動方向変換機構Ｍ２は、挿通される鉛芯ｘを介してホルダー２０に加わる径方向の力成分により、鉛芯ｘ及び保持筒１０等に相対しホルダー２０を前進させ、前記径方向の力成分が除去された際に、ホルダー２０をホルダー付勢部材２３の付勢力によって後退させる。
【００２２】
また、鉛芯繰出し機構Ｍ１は、保持筒１０内に保持されて鉛芯ｘの外周面に弾性的に緩圧接される芯ブレーカ３０と、芯ブレーカ３０よりも後側で鉛芯ｘを挟持して進退可能なチャック部４０と、チャック部４０に対し環状に嵌り合うクラッチリング４１と、クラッチリング４１をその後方側から受けるクラッチ受け４２と、チャック部４０の後端側を支持する支持筒部４３と、支持筒部４３の後側に接続され芯タンク部６０の進退を案内するガイド筒部４４と、第１〜第３の付勢部材５１〜５３とを備える。
この鉛芯繰出し機構Ｍ１は、芯タンク部６０から伝達される進退運動により、チャック部４０に挟持した鉛芯ｘを繰り出す。また、この鉛芯繰出し機構Ｍ１は、チャック部４０に挟持した鉛芯ｘに予め設定された筆圧よりも強い付勢力が加わった際に、鉛芯ｘと共にチャック部４０、支持筒部４３及びガイド筒部４４等を後退させる。
【００２３】
なお、鉛芯繰出し機構Ｍ１及び運動方向変換機構Ｍ２の基本構造には、特許文献１のものを適用することが可能である。
【００２４】
また、芯タンク部６０は、前端部を開口した略筒状に構成され、鉛芯繰出し機構Ｍ１に対し後方側から鉛芯ｘを供給する。図示例の芯タンク部６０は、保持筒１０の後端側内周面に係合して所定量進退する摺動筒部６１と、この摺動筒部６１に接続されて後方へ長尺状に延設された円筒状のタンク本体部６２との二つの筒状部材から構成される。この芯タンク部６０の他例としては、単数又は三以上の筒状部材から構成することも可能である。
【００２５】
そして、上記構成のシャープペンシルユニット１は、図３に例示するように、多機能出没式筆記具Ａに組み込まれる。
多機能出没式筆記具Ａは、複数の駒ａ２，ａ３を選択的に前進させる操作により、前進した駒ａ２（又はａ３）に接続されたリフィールの前端筆記部を、軸筒ａ１前端から前方へ突出させる。前記リフィールは、図示例によれば、シャープペンシルユニット１及びボールペンリフィール９である。
なお、この多機能出没式筆記具Ａには、例えば特開２０１４−１９８４３９号公報に示される基本構造を適用することが可能である。
【００２６】
この多機能出没式筆記具Ａにおいて、例えば、開閉機能付きクリップａ６を有する駒ａ２が、コイルスプリングａ４の付勢力に抗して前進操作され、この駒ａ２に接続されたシャープペンシルユニット１（リフィール）の前端筆記部が、軸筒ａ１の前端開口部から前方へ突出すると、駒ａ２が軸筒ａ１内に設けられる係止部ａ５に係止され、この突出状態が維持される。
この突出状態において、クリップａ６を前進させる操作を行えば、シャープペンシルユニット１の前端から鉛芯ｘが繰り出される。
【００２７】
シャープペンシルユニット１は、軸筒ａ１内で進退する際に、隣接するボールペンリフィール９や、軸筒ａ１の内周面に当接する可能性がある。
しかしながら、上記構成によれば、この当接の際の衝撃を、シャープペンシルユニット１の外周部の緩衝部材１４によって緩和することができる。
特に、運動方向変換機構Ｍ２を備えたシャープペンシルユニットでは、ホルダー２０が径方向へ振動し易い傾向にあるが、上記構成によれば、ホルダー２０の径方向への振動により、ホルダー２０に挿通されている鉛芯ｘが損傷するのを効果的に防ぐことができる。
しかも、上記構成のシャープペンシルユニット１では、緩衝部材１４を第２の筒部１２と第３の筒部１３の間に挟むようにして配設しているため、この緩衝部材１４が前記衝撃等によって外れたり位置ずれしたりするのを防ぐことができる。
【００２８】
＜第２の実施態様＞
次に、図４に示す実施態様について説明する。この実施態様は、上記シャープペンシルユニット１に対し、その一部を変更したものであるため、主にその変更部分について詳述し、重複する詳細説明を省略する。
【００２９】
図４に示すシャープペンシルユニット２は、上記シャープペンシルユニット１に対し、第２の筒部１２、第３の筒部１３、緩衝部材１４を、それぞれ、第２の筒部１２’、第３の筒部１３’、緩衝部材１４’に置換したものである。
【００３０】
第２の筒部１２’は、上記第２の筒部１２の中間部１２ｃを、外周面に環状凹部１２ｃ１’を有する中間部１２ｃ’に置換したものである。中間部１２ｃ’は、前後方向へ延設された円筒状の小径部として機能する。
【００３１】
第３の筒部１３’は、上記第３の筒部１３の前端部を前方へ延長して第２の筒部１２’の段部１２ｅに当接させたものである。この第３の筒部１３’は、中間部１２ｃ’（小径部）の後側に同芯状に並ぶ大径部であり、第２の筒部１２’の後側接続部１２ｆに環状に嵌め合わせられる。
【００３２】
緩衝部材１４’は、上述した緩衝部材１４よりも外形が大きく且つ太いＯリングにより形成される。
この緩衝部材１４’は、中間部１２ｃ’（小径部）の環状凹部１２ｃ１’に嵌め合わせられ、その外周部を第３の筒部１３’ （大径部）の外周面よりも径外方向へ突出させている。
【００３３】
環状凹部１２ｃ１’は、中間部１２ｃ’の外周面に、全周にわたる凹溝状に形成される。
【００３４】
よって、図４に示すシャープペンシルユニット２によれば、緩衝部材１４’を小径部である中間部１２ｃ’に設けたので、この緩衝部材１４’の肉厚（太さ）を比較的大きく確保することができ、ひいては、緩衝部材１４’の弾性による緩衝作用を効果的に得ることができる。
しかも、大径部である第３の筒部１３’には、その大径な内部空間を有効に利用して、鉛芯繰出し機構Ｍ１等の複雑な機構を内在することができる。
【００３５】
＜第３の実施態様＞
図５に示すシャープペンシルユニット３は、上記シャープペンシルユニット１に対し、第１の筒部１１、第３の筒部１３、緩衝部材１４を、それぞれ、第１の筒部１１”、第３の筒部１３’、緩衝部材１４”に置換したものである。
【００３６】
第１の筒部１１”は、上記第１の筒部１１の後端側を若干前方へ短くしたものである。この第１の筒部１１”は、第２の筒部１２の段部１２ｂから前方側へ所定寸法離れて位置し、第２の筒部１２の前側接続部１２ａに対し、圧入又は螺合等により環状に固定される。
【００３７】
また、第２の筒部１２の前側接続部１２ａは、前後方向へ延設された円筒状の小径部として機能する。この前側接続部１２ａ（小径部）の外周面と、第１の筒部１１”の後端部と、第２の筒部１２の段部１２ｂとは、緩衝部材１４”を装着するための環状凹部１２ｈを構成する。
【００３８】
第３の筒部１３’は、シャープペンシルユニット２と同様に、上記第３の筒部１３の前端部を前方へ延長して第２の筒部１２の段部１２ｅに当接させたものである。
第２の筒部１２の中間部１２ｃと第３の筒部１３’は、前側接続部１２ａ（小径部）の後側に同芯状に並ぶ大径部であり、鉛芯繰出し機構Ｍ１等を内在する。
【００３９】
緩衝部材１４”は、上記緩衝部材１４’よりも更に外形が大きく且つ太いＯリングであり、保持筒１０の最大径部分（図示例によれば第３の筒部１３’の外径部）よりも径方向外側へ突出するように、その外径が設定されている。
この緩衝部材１４”は、環状凹部１２ｈに嵌め合わせられる。
【００４０】
よって、図５に示すボールペンリフィール９によれば、緩衝部材１４”をより小径な前側接続部１２ａに設けたので、この緩衝部材１４”の肉厚（太さ）をさらに大きくすることができ、ひいては、緩衝部材１４”の弾性による緩衝作用をいっそう効果的に得ることができる。
しかも、前側接続部１２ａ（小径部）よりも後側の大径部には、その広い内部空間を有効に利用して、鉛芯繰出し機構Ｍ１等の複雑な機構を内在することができる。
その上、緩衝部材１４”を、第１の筒部１１”後端部と第２の筒部１２の段部１２ｂとの間に挟むように配置しているため、この緩衝部材１４”が外れたり位置ずれしたりするのを防ぐことができる。
【００４１】
＜変形例＞
なお、図示例以外の他例としては、上記構成の緩衝部材１４を、第１の筒部１１の外周部や、第３の筒部１３の外周部、環状傾斜面部１２ｄの外周部等、図示例以外の部分に配置することも可能である。
さらに、他例としては、緩衝部材１４を前後方向にわたって複数箇所に設けることも可能である。
【００４２】
また、緩衝部材１４の他例としては、Ｏリング形状以外の環状や筒状に形成することも可能である。
【００４３】
また、上記実施の形態によれば、保持筒１０を三つの筒状部材から構成したが、この保持筒１０は、上記緩衝部材の装着を可能にすれば、単数、２つ、あるいは４以上の筒状部材から構成することが可能である。
【００４４】
また、上記実施態様では、特に好ましい一例として、シャープペンシルユニット１を具備して多機能出没式筆記具Ａを構成したが、他例としては、単数のシャープペンシルユニット１を軸筒内に出没可能に収納した出没式筆記具や、シャープペンシルユニット１を軸筒内に固定するとともにその筆記部を前方へ突出させたシャープペンシル等を構成することも可能である。
【００４５】
また、本発明は上述した上記実施態様に限定されず、本発明の要旨を変更しない範囲で適宜変更可能である。
【符号の説明】
【００４６】
１，２，３：シャープペンシルユニット
１０：保持筒
１１，１１”：第１の筒部
１２，１２’：第２の筒部
１２ｃ１’，１２ｈ：環状凹部
１３，１３’：第３の筒部
１４，１４’，１４”：緩衝部材
２０：ホルダー
２３：ホルダー付勢部材
Ａ：多機能出没式筆記具
Ｍ１：鉛芯繰出し機構
Ｍ２：運動方向変換機構
ｘ：鉛芯
【図１】
2020110928.tif 000003
【図２】
2020110928.tif 000004
【図３】
2020110928.tif 000005
【図４】
2020110928.tif 000006
【図５】
2020110928.tif 000007